(57)【要約】【課題】離れた場所から機器の稼動状態を確認可能とする。【解決手段】監視対象機器１１の発光部２５の各ＬＥＤ２２〜２４の発光状態を第１〜第３の光ファイバー３１〜３３で第１〜第３の変換器３５〜３７に伝達する。各変換器３５〜３７は、光ファイバー３１〜３３からの光を感知して色を判別する。各変換器３５〜３７に、緑色成分検出時に”Ｈ”出力する緑信号線４１，４２と、青色成分検出時に”Ｈ”出力する青信号線４３，４４と、赤色成分検出時に”Ｈ”出力する赤信号線４５，４６を設ける。各信号線４１〜４７から接点信号をネットワークデバイス６１に出力する。ネットワークデバイス６１は、接点信号の組み合わせから各ＬＥＤ２２〜２４の点灯状態及びその点灯色からなる発光状態を判別し、判別結果に対応する電子メールやＳＮＭＰ信号を、ネットワーク６２に接続された監視装置６３宛に送信する。【選択図】        図２
2004246650.tif 000002
【特許請求の範囲】
【請求項１】
稼動状態を表示する発光部を備えた機器の監視システムであって、
前記発光部の点灯状態や点灯色などの発光状態を検出し、該発光状態に応じた電気信号に変換する変換器と、
該変換器にて変換された電気信号に対応する状態信号を、ネットワークを介して監視装置へ出力する出力装置と、
を備えたことを特徴とする監視システム。
【発明の詳細な説明】
【０００１】
【発明の属する技術分野】
本発明は、機器の表示状態を監視する監視システムに関する。
【０００２】
【従来の技術】
電子機器のパネルには、状態表示用のＬＥＤ等の発光部が設けられており、この発光部を目視することによって、機器の稼動状態を確認できるように構成されている。また、人が見て判断してからでないと異常を発見できない。
【０００３】
【発明が解決しようとする課題】
しかしながら、電子機器が遠隔地あるいは人が近付けない場所に設置されている場合には、その電子機器の稼動状態を確認することが困難であった。
【０００４】
また、カメラで遠隔から電子機器を監視する方法も考えられるが、コスト高となり、実用的では無い。
【０００５】
本発明は、このような従来の課題に鑑みてなされたものであり、離れた場所から機器の稼動状態を確認することができるとともに、異常を自動的に通知できる監視システムを提供することを目的とするものである。
【０００６】
【課題を解決するための手段】
前記課題を解決するために本発明の監視システムにあっては、稼動状態を表示する発光部を備えた機器の監視システムであって、前記発光部の点灯状態や点灯色などの発光状態を検出し、該発光状態に応じた電気信号に変換する変換器と、該変換器にて変換された電気信号に対応する状態信号を、ネットワークを介して監視装置へ出力する出力装置と、を備えている。
【０００７】
すなわち、機器の稼動状態は発光部の発光状態によって表示されており、この発光部の点灯状態や点灯色などの発光状態は、変換器にて検出され電気信号に変換される。そして、この電気信号は、出力装置により状態信号としてネットワークを介して監視装置へ出力される。
【０００８】
これにより、前記発光部での表示は、ネットワークを介して監視装置へ伝達され、該監視装置での確認が可能となる。
【０００９】
【発明の実施の形態】
以下、本発明の一実施の実施の形態を図面に従って説明する。図１は、本発明にかかる監視システム１の応用例を示す図である。
【００１０】
すなわち、各ビルや各部屋には、監視対象機器１１，・・・が設置されており、これらの監視対象機器１１，・・・は、前記監視システム１によって監視されている。各監視対象機器１１，・・・としては、室内への侵入者を監視する機器や、多数設置された電子機器、設備機器などが挙げられる。
【００１１】
これらの監視対象機器１１，・・・のパネル２１には、図２に示すように、第１〜第３のＬＥＤ２２〜２４からなる発光部２５が設けられており、各ＬＥＤ２２〜２４が稼動状態に応じて点灯消灯又は点滅間隔を変化する、あるいは発光色を変化することで、当該機器の稼動状態を表示するように構成されている。
【００１２】
この監視対象機器１１の発光部２５を構成する各ＬＥＤ２２〜２４には、第１〜第３の光ファイバー３１〜３３が接続されており、接続されたＬＥＤ２２〜２４の発光状態が第１〜第３の変換器３５〜３７に伝達されてる。このとき、各ＬＥＤ２２〜２４の発光状態が視認できるように各光ファイバー３１〜３３を接続することによって目視による稼動状態の確認を可能としておく。
【００１３】
各光ファイバー３１〜３３は、前記第１〜第３の変換器３５〜３７に接続されており、各変換器３５〜３７には、各光ファイバー３１〜３３から送られ来る光を感知するＬＥＤセンサが設けられている。
【００１４】
第１及び第２の変換器３５，３６におけるＬＥＤセンサは、光ファイバー３１，３２からの光の色を判別できるように構成されており、その色より緑色の成分を検出している間は、緑信号線４１，４２からの電気信号である出力を”Ｌ”から”Ｈ”へ変化するように構成されている。また、前記光ファイバー３１，３２からの色より青色の成分を検出している間は、青信号線４３，４４からの出力を”Ｌ”から”Ｈ”へ変化するように構成されており、赤色の成分を検出している間は、赤信号線４５，４６からの出力を”Ｌ”から”Ｈ”へ変化するように構成されている。
【００１５】
これにより、各ＬＥＤ２２，２３が緑色に発光している間は緑信号線４１，４２を”Ｈ”に、赤色に発光している間は赤信号線４５，４６を”Ｈ”に、青色に発光している間は青信号線４３，４４を”Ｈ”にするように構成されている。また、各ＬＥＤ２２，２３が黄色（橙色）に発光している間は緑信号線４１，４２及び赤信号線４５，４６を同時に”Ｈ”に、紫色に発光している間は青信号線４３，４４及び赤信号線４５，４６を同時に”Ｈ”に、青緑色に発光している間は緑信号線４１，４２及び青信号線４３，４４を同時に”Ｈ”に、白色に発光している間は緑信号線４１，４２及び青信号線４３，４４並びに赤信号線４５，４６を同時に”Ｈ”にするように構成されている。
【００１６】
また、前記第３の変換器３７におけるＬＥＤセンサは、第３の光ファイバー３３からの光の有無を判別できるように構成されており、第３の光ファイバー３３からの光を検出している間は、点灯信号線４７からの電気信号である出力を”Ｌ”から”Ｈ”へ変化するように構成されている。
【００１７】
前記各信号線４１〜４７は、出力装置であるネットワークデバイス６１の各ポートＤ１〜Ｄ７に接続されており、前記各信号線４１〜４７から電気信号として出力された”Ｈ”又は”Ｌ”の二値からなる接点信号は、前記ネットワークデバイス６１に入力されるように構成されている。
【００１８】
このネットワークデバイス６１は、各ポートＤ１〜Ｄ７に入力される接点信号の組み合わせから対象となる発光部２５の各ＬＥＤ２２〜２４の点灯状態及びその点灯色からなる発光状態を判別するように構成されている。そして、前記ネットワークデバイス６１は、ＬＡＮやＷＡＮ等のネットワーク６２に接続されており、各ＬＥＤ２２〜２４の発光状態の判別結果に対応する状態信号を、電子メールとして、又はＳＮＭＰ（Ｓｉｍｐｌｅ  Ｎｅｔｗｏｒｋ  Ｍａｎａｇｅｍｅｎｔ  Ｐｒｏｔｏｃｏｌ）信号として、前記ネットワーク６２に接続された監視装置６３宛に、該監視装置６３で表示できる形態で出力するように構成されている。
【００１９】
以上の構成にかかる本実施の形態において、各所に設置された監視対象機器１１，・・・の稼動状態は、発光部２５の各ＬＥＤ２２〜２４の発光状態によって表示されており、この発光部２５の点灯状態や点灯色などの発光状態は、各変換器３５〜３７にて検出され”Ｈ”又は”Ｌ”で二値化された接点信号に変換され、ネットワークデバイス６１に伝達される。
【００２０】
そして、このネットワークデバイス６１では、前記接点信号の組み合わせから対象となる発光部２５の各ＬＥＤ２２〜２４の点灯状態及びその点灯色からなる発光状態を判別する。判別された発光状態が変化した際には、変化した判別結果に対応する状態信号を、電子メール又はＳＮＭＰ信号として、ネットワーク６２を介して監視装置６３へ出力する。
【００２１】
すると、この電子メールやＳＮＭＰ信号は、前記監視装置６３で受信され、当該監視装置６３のモニター画面に、その旨が表示される。
【００２２】
このように、各所に設置された監視対象機器１１の稼動状態を示す発光部２５での表示を、ネットワーク６２を介して監視装置６３へ伝達することができ、該監視装置６３のモニター画面での確認が可能となる。よって、監視対象機器１１が遠隔地あるいは人が近付けない場所に設置された場合であっても、その監視対象機器１１の稼動状態を離れた場所から確認することができるとともに、異常状態を通知することができる。
【００２３】
また、監視対象機器１１の稼動状態を示す発光部２５での表示を利用することによって、監視対象機器１１の各箇所を撮影するカメラを用いること無く、監視が可能となる。したがって、膨大なコストを掛けることなく、離れた場所からの監視対象機器１１の稼動状態の確認を行うことができる。また、複数箇所に設置された監視対象機器１１，・・・を一箇所で監視することができる。
【００２４】
【発明の効果】
以上説明したように本発明の監視システムにあっては、機器の稼動状態を示す発光部での表示を、ネットワークを介して監視装置へ伝達することができ、該監視装置での確認が可能となる。つまり、その場で人が目で見て判断することが必要であった異常状態を遠隔地で知ることができる。
【００２５】
このように、対象となる機器が遠隔地あるいは人が近付けない場所に設置された場合であっても、その機器の稼動状態を離れた場所から確認することができる。また、機器の稼動状態を示す発光部での表示を利用することによって、電子機器の各箇所を撮影するカメラを用いること無く、監視が可能となる。
【００２６】
したがって、膨大なコストを掛けることなく、離れた場所からの機器の稼動状態の確認を行うことができる。
【図面の簡単な説明】
【図１】本発明の一実施の形態の応用例を示すブロック図である。
【図２】同実施の形態を示すブロック図である。
【符号の説明】
１    監視システム
１１    監視対象機器
２５    発光部
３５    第１の変換器
３６    第２の変換器
３７    第３の変換器
６１    ネットワークデバイス
６２    ネットワーク
６３    監視装置
【図１】
2004246650.tif 000003
【図２】
2004246650.tif 000004